(57)【特許請求の範囲】
【請求項１】
光源と、
制御信号に応じて前記光源の光出力を変化させる制御部とを備え、
前記制御部は、前記光源の光出力を制御し、前記光源による照度を、所定の照度に到達するまでの期間において変化させる目覚ましモードを複数有し、
前記制御部は、
前記複数の目覚ましモードのうち、前記光源による照度が第１の照度からそれより高い第２の照度に到達するように制御を行う第１の目覚ましモードで動作中に、予め定められた制御信号群に含まれる制御信号が入力されたことを検知する検知手段と、
前記検知手段による前記検知が行われたとき、前記複数の目覚ましモードのうち、前記第１の目覚ましモードとは異なる、前記入力された制御信号に対応する目覚ましモードで動作するように、動作モードの移行を行う移行手段とを有し、
前記制御部は、前記制御信号が入力された入力時刻に応じて、前記移行手段による動作モードの移行後に実行される前記入力された制御信号に対応する目覚ましモードにおける前記光源による照度の増減率を変化させる、照明装置。
【請求項２】
光源と、
制御信号に応じて前記光源の光出力を変化させる制御部とを備え、
前記制御部は、前記光源の光出力を制御し、前記光源による照度を、所定の照度に到達するまでの期間において変化させる目覚ましモードを複数有し、
前記制御部は、
前記複数の目覚ましモードのうち、前記光源による照度が第１の照度からそれより高い第２の照度に到達するように制御を行う第１の目覚ましモードで動作中に、予め定められた制御信号群に含まれる制御信号が入力されたことを検知する検知手段と、
前記検知手段による前記検知が行われたとき、前記複数の目覚ましモードのうち、前記第１の目覚ましモードとは異なる、前記入力された制御信号に対応する目覚ましモードで動作するように、動作モードの移行を行う移行手段とを有し、
前記制御部は、前記移行手段により動作モードの移行が行われた後、前記入力された制御信号に対応する目覚ましモードの実行中に前記制御信号が入力された回数に応じて、前記光源による照度の増減率を変化させる、照明装置。
【請求項３】
光源と、
制御信号に応じて前記光源の光出力を変化させる制御部とを備え、
前記制御部は、前記光源の光出力を制御し、前記光源による照度を、所定の照度に到達するまでの期間において変化させる目覚ましモードを複数有し、
前記制御部は、
前記複数の目覚ましモードのうち、前記光源による照度が第１の照度からそれより高い第２の照度に到達するように制御を行う第１の目覚ましモードで動作中に、予め定められた制御信号群に含まれる制御信号が入力されたことを検知する検知手段と、
前記検知手段による前記検知が行われたとき、前記複数の目覚ましモードのうち、前記第１の目覚ましモードとは異なる、前記入力された制御信号に対応する目覚ましモードで動作するように、動作モードの移行を行う移行手段と、
前記第１の目覚ましモードで動作中に、前記光源による照度が前記第２の照度より低い第３の照度に到達したときに報知音の出力動作を行う音出力手段と、
前記光源による照度が前記第３の照度に到達する前に前記検知手段により前記予め定められた制御信号群に含まれる制御信号が入力されたことが検知されたとき、前記入力された制御信号の種類に応じて、その後の前記音出力手段による前記報知音の出力動作を継続するか否かを選択する選択手段とを有する、照明装置。
【請求項４】
前記複数の目覚ましモードのそれぞれは、前記光源による照度が所定の照度に到達するまで漸次変化するように前記光源の光出力を制御する動作モードである、請求項１から３のいずれか１項に記載の照明装置。
【請求項５】
前記予め定められた制御信号群には、前記光源を全点灯させる全点灯信号が含まれており、
前記移行手段は、前記第１の目覚ましモードで動作中に前記検知手段により前記全点灯信号が入力されたことが検知されたとき、前記全点灯信号に対応する目覚ましモードに移行し、
前記全点灯信号に対応する目覚ましモードは、前記光源による照度が前記第１の目覚ましモードよりも高い増大率で増大して全点灯の照度に到達するように前記光源の光出力を制御する動作を含む動作モードである、請求項１から４のいずれか１項に記載の照明装置。
【請求項６】
前記予め定められた制御信号群には、前記光源による照度を増大させるための調光増大信号が含まれており、
前記移行手段は、前記第１の目覚ましモードで動作中に前記検知手段により前記調光増大信号が入力されたことが検知されたとき、前記調光増大信号に対応する目覚ましモードに動作モードを移行し、
前記調光増大信号に対応する目覚ましモードは、前記光源による照度が前記第１の目覚ましモードよりも高い増大率で増大して前記第２の照度に到達するように、前記光源の光出力を制御する動作を含む動作モードである、請求項１から５のいずれか１項に記載の照明装置。
【請求項７】
前記予め定められた制御信号群には、前記光源による照度を低減させるための調光低減信号が含まれており、
前記移行手段は、前記第１の目覚ましモードで動作中に前記検知手段により前記調光低減信号が入力されたことが検知されたとき、前記調光低減信号に対応する目覚ましモードに動作モードを移行し、
前記調光低減信号に対応する目覚ましモードは、前記光源による照度が前記第１の目覚ましモードよりも低い増大率で増大して前記第２の照度に到達するように、前記光源の光出力を制御する動作を含む動作モードである、請求項１から６のいずれか１項に記載の照明装置。
【請求項８】
前記予め定められた制御信号群には、前記光源を消灯させるための消灯信号が含まれており、
前記移行手段は、前記第１の目覚ましモードで動作中に前記検知手段により前記消灯信号が入力されたことが検知されたとき、前記消灯信号に対応する目覚ましモードに動作モードを移行し、
前記消灯信号に対応する目覚ましモードは、前記光源による照度が所定の低減率で低減して消灯するように、前記光源の光出力を制御する動作を含む動作モードである、請求項１から７のいずれか１項に記載の照明装置。
【請求項９】
前記移行手段は、
前記第１の目覚ましモードで動作中に前記検知手段により前記制御信号群に含まれる制御信号が入力されたことが検知されたとき、動作モードを、前記制御信号の入力時刻における前記光源による照度が所定値だけ増減した後に前記制御信号に対応する増減率で前記照度が変化するように前記光源の光出力を制御する目覚ましモードに移行し、
その後、前記制御信号が入力されるたびに、前記動作モードの移行を繰り返して行う、請求項１から３のいずれか１項に記載の照明装置。
【請求項１０】
前記検知手段は、さらに、前記移行手段により動作モードの移行が行われた後、前記入力された制御信号に対応する目覚ましモードの実行中に、前記制御信号群に含まれる、前記入力された制御信号とは異なる制御信号が入力されたことを検知し、
前記移行手段は、さらに、前記検知手段により前記制御信号が入力されたことが検知されるたびに、前記複数の目覚ましモードのうち前記入力された制御信号に対応する目覚ましモードで動作するように、動作モードの移行を行う、請求項１から９のいずれか１項に記載の照明装置。
【請求項１１】
前記制御部は、前記複数の目覚ましモードのいずれかを実行中に、前記制御信号群に含まれない制御信号が入力されたとき、実行中の目覚ましモードの動作を停止させ、前記入力された制御信号に応じた制御を行う、請求項１から１０のいずれか１項に記載の照明装置。
【請求項１２】
光源と、
制御信号に応じて前記光源の光出力を変化させる制御部とを備え、
前記制御部は、前記光源の光出力を制御し、前記光源による照度を、所定の照度に到達するまでの期間において変化させる目覚ましモードを複数有している照明装置の制御プログラムであって、
前記制御部は、
前記複数の目覚ましモードのうち、前記光源による照度が第１の照度からそれより高い第２の照度に到達するように制御を行う第１の目覚ましモードで動作中に、予め定められた制御信号群に含まれる制御信号が入力されたことを検知する検知ステップと、
前記検知ステップによる前記検知が行われたとき、前記複数の目覚ましモードのうち、前記第１の目覚ましモードとは異なる、前記入力された制御信号に対応する目覚ましモードで動作するように、動作モードの移行を行う移行ステップと、
前記制御信号が入力された入力時刻に応じて、前記移行ステップによる動作モードの移行後に実行される前記入力された制御信号に対応する目覚ましモードにおける前記光源による照度の増減率を変化させる変化ステップとをコンピューターに実行させる、照明装置の制御プログラム。
【請求項１３】
光源と、
制御信号に応じて前記光源の光出力を変化させる制御部とを備え、
前記制御部は、前記光源の光出力を制御し、前記光源による照度を、所定の照度に到達するまでの期間において変化させる目覚ましモードを複数有している照明装置の制御プログラムであって、
前記制御部は、
前記複数の目覚ましモードのうち、前記光源による照度が第１の照度からそれより高い第２の照度に到達するように制御を行う第１の目覚ましモードで動作中に、予め定められた制御信号群に含まれる制御信号が入力されたことを検知する検知ステップと、
前記検知ステップによる前記検知が行われたとき、前記複数の目覚ましモードのうち、前記第１の目覚ましモードとは異なる、前記入力された制御信号に対応する目覚ましモードで動作するように、動作モードの移行を行う移行ステップと、
前記移行ステップにより動作モードの移行が行われた後、前記入力された制御信号に対応する目覚ましモードの実行中に前記制御信号が入力された回数に応じて、前記光源による照度の増減率を変化させる変更ステップとをコンピューターに実行させる、照明装置の制御プログラム。
【発明の詳細な説明】
【技術分野】
【０００１】
この発明は、照明装置及び照明装置の制御プログラムに関し、特に、就寝者の目覚めを促すことができる照明装置及び照明装置の制御プログラムに関する。
【背景技術】
【０００２】
従来、就寝しているユーザー（就寝者）の起床時に予め設定された目覚ましモードで動作し、設定時刻から就寝空間の照度を徐々に変化させることによりユーザーの目覚めを促す目覚まし機能を有する照明装置が知られている。
【０００３】
下記特許文献１には、上記のような目覚まし機能を有する照明装置が開示されている。この照明装置は、目覚ましモードで動作中に光出力を増加させる旨の制御信号を受信すると、目覚ましモードを停止し、制御信号に基づいて光出力を変化させる。
【０００４】
下記特許文献２には、照明装置において、照度を高照度とする増大ボタンが目覚まし開始時刻以降に操作されたとき、目覚ましモードを継続し、照度が高照度を超えるまでは照明ユニットの照度を高照度に維持し、照度が高照度より高くなる時刻以降は照明ユニットの照度を目覚ましモードの増大パターンの照度に制御することが開示されている。すなわち、この照明装置は、増大ボタンが操作されると、実質的にはいったん目覚ましモードを中断し、その後、再度、元の目覚ましモードに復帰するものである。また、特許文献２には、照度を低照度とする低減ボタンが操作されると、目覚ましモードを停止し、照明ユニットの照度を低照度に制御することが開示されている。
【先行技術文献】
【特許文献】
【０００５】
【特許文献１】特許第３７６７３１９号公報
【特許文献２】特開２００８−５３０８３号公報
【発明の概要】
【発明が解決しようとする課題】
【０００６】
ところで、例えば就寝していたユーザーが予め設定された目覚ましモードの実行中に目覚めた場合において、ユーザーが、予め設定された目覚ましモードの態様とは異なる、気分や体調などに応じた様々な態様で目覚まし機能を利用したいと希望する場合がある。例えば、ユーザーが、予め設定された目覚ましモードよりは急激であるが、ある程度の時間をかけて照度を増大させて全点灯させたいなどと希望する場合がある。
【０００７】
しかしながら、上記のように、例えば特許文献１に記載されているような照明装置では、予め設定された１つのパターンの目覚ましモードしか用意されていない。そのため、目覚ましモードの実行中において、ユーザーには、目覚ましモードを継続するか、目覚ましモードを中止するかのどちらか一方を選択する余地しか残されておらず、上記のようなニーズを満足させることが困難であるという問題がある。
【０００８】
すなわち、目覚ましモードが照度をある増減率で徐々に増大させるものである場合において、それとは異なる増減率で照度を増大させるなど、元の目覚ましモードとは異なる態様で照度を変化させたい場合がある。しかしながら、特許文献１に記載されているような照明装置では、照度を変化させるための信号が入力されると、目覚ましモードが解除され、瞬間的にその信号に対応する照度に切り換わってしまい、その後も目覚ましモードにより徐々に照度を変化させることが期待できなくなる。
【０００９】
また、例えば、特許文献１に記載されているような照明装置では、全点灯状態にするための全点灯信号が入力されると、瞬間的に全点灯状態となって照度が最大となる。この場合、ユーザーがしっかりと目覚める前に明るくなり過ぎるため、ユーザーに不快感やストレスを与えてしまう可能性がある。
【００１０】
上記のような問題は、特許文献２に記載されているような照明装置についても同様に起こりうる。特許文献２に記載されているような照明装置では、増大ボタンが操作されたときにはいったん目覚ましモードが中断される。そして、瞬間的に操作に応じた照度に制御され、その後も目覚ましモードにより徐々に照度を変化させることが期待できなくなる。目覚ましモード中に多様な照度調節を行うことができず、上記のようなユーザーのニーズを十分に満足させることができないものである。
【００１１】
この発明はそのような問題点を解決するためになされたものであり、目覚ましモード中においてユーザーの多様なニーズに対応した制御を行うことができる、利便性が高い照明装置及び照明装置の制御プログラムを提供することを目的としている。
【課題を解決するための手段】
【００１２】
上記目的を達成するため、この発明のある局面に従うと、照明装置は、光源と、制御信号に応じて光源の光出力を変化させる制御部とを備え、制御部は、光源の光出力を制御し、光源による照度を、所定の照度に到達するまでの期間において変化させる目覚ましモードを複数有し、制御部は、複数の目覚ましモードのうち、光源による照度が第１の照度からそれより高い第２の照度に到達するように制御を行う第１の目覚ましモードで動作中に、予め定められた制御信号群に含まれる制御信号が入力されたことを検知する検知手段と、検知手段による検知が行われたとき、複数の目覚ましモードのうち、第１の目覚ましモードとは異なる、入力された制御信号に対応する目覚ましモードで動作するように、動作モードの移行を行う移行手段とを有し、制御部は、制御信号が入力された入力時刻に応じて、移行手段による動作モードの移行後に実行される入力された制御信号に対応する目覚ましモードにおける光源による照度の増減率を変化させる。
この発明の他の局面に従うと、照明装置は、光源と、制御信号に応じて光源の光出力を変化させる制御部とを備え、制御部は、光源の光出力を制御し、光源による照度を、所定の照度に到達するまでの期間において変化させる目覚ましモードを複数有し、制御部は、複数の目覚ましモードのうち、光源による照度が第１の照度からそれより高い第２の照度に到達するように制御を行う第１の目覚ましモードで動作中に、予め定められた制御信号群に含まれる制御信号が入力されたことを検知する検知手段と、検知手段による検知が行われたとき、複数の目覚ましモードのうち、第１の目覚ましモードとは異なる、入力された制御信号に対応する目覚ましモードで動作するように、動作モードの移行を行う移行手段とを有し、制御部は、移行手段により動作モードの移行が行われた後、入力された制御信号に対応する目覚ましモードの実行中に制御信号が入力された回数に応じて、光源による照度の増減率を変化させる。
この発明のさらに他の局面に従うと、照明装置は、光源と、制御信号に応じて光源の光出力を変化させる制御部とを備え、制御部は、光源の光出力を制御し、光源による照度を、所定の照度に到達するまでの期間において変化させる目覚ましモードを複数有し、制御部は、複数の目覚ましモードのうち、光源による照度が第１の照度からそれより高い第２の照度に到達するように制御を行う第１の目覚ましモードで動作中に、予め定められた制御信号群に含まれる制御信号が入力されたことを検知する検知手段と、検知手段による検知が行われたとき、複数の目覚ましモードのうち、第１の目覚ましモードとは異なる、入力された制御信号に対応する目覚ましモードで動作するように、動作モードの移行を行う移行手段と、第１の目覚ましモードで動作中に、光源による照度が第２の照度より低い第３の照度に到達したときに報知音の出力動作を行う音出力手段と、光源による照度が第３の照度に到達する前に検知手段により予め定められた制御信号群に含まれる制御信号が入力されたことが検知されたとき、入力された制御信号の種類に応じて、その後音出力手段による報知音の出力動作を継続するか否かを選択する選択手段とを有する。
【００１３】
好ましくは、複数の目覚ましモードのそれぞれは、光源による照度が所定の照度に到達するまで漸次変化するように光源の光出力を制御する動作モードである。
【００１６】
好ましくは、予め定められた制御信号群には、光源を全点灯させる全点灯信号が含まれており、移行手段は、第１の目覚ましモードで動作中に検知手段により全点灯信号が入力されたことが検知されたとき、全点灯信号に対応する目覚ましモードに移行し、全点灯信号に対応する目覚ましモードは、光源による照度が第１の目覚ましモードよりも高い増大率で増大して全点灯の照度に到達するように光源の光出力を制御する動作を含む動作モードである。
【００１７】
好ましくは、予め定められた制御信号群には、光源による照度を増大させるための調光増大信号が含まれており、移行手段は、第１の目覚ましモードで動作中に検知手段により調光増大信号が入力されたことが検知されたとき、調光増大信号に対応する目覚ましモードに動作モードを移行し、調光増大信号に対応する目覚ましモードは、光源による照度が第１の目覚ましモードよりも高い増大率で増大して第２の照度に到達するように、光源の光出力を制御する動作を含む動作モードである。
【００１８】
好ましくは、予め定められた制御信号群には、光源による照度を低減させるための調光低減信号が含まれており、移行手段は、第１の目覚ましモードで動作中に検知手段により調光低減信号が入力されたことが検知されたとき、調光低減信号に対応する目覚ましモードに動作モードを移行し、調光低減信号に対応する目覚ましモードは、光源による照度が第１の目覚ましモードよりも低い増大率で増大して第２の照度に到達するように、光源の光出力を制御する動作を含む動作モードである。
【００１９】
好ましくは、予め定められた制御信号群には、光源を消灯させるための消灯信号が含まれており、移行手段は、第１の目覚ましモードで動作中に検知手段により消灯信号が入力されたことが検知されたとき、消灯信号に対応する目覚ましモードに動作モードを移行し、消灯信号に対応する目覚ましモードは、光源による照度が所定の低減率で低減して消灯時の照度に到達するように、光源の光出力を制御する動作を含む動作モードである。
【００２０】
好ましくは、移行手段は、第１の目覚ましモードで動作中に検知手段により制御信号群に含まれる制御信号が入力されたことが検知されたとき、動作モードを、制御信号の入力時刻における光源による照度が所定値だけ増減した後に制御信号に対応する増減率で照度が変化するように光源の光出力を制御する目覚ましモードに移行し、その後、制御信号が入力されるたびに、動作モードの移行を繰り返して行う。
【００２１】
好ましくは、検知手段は、さらに、移行手段により動作モードの移行が行われた後、入力された制御信号に対応する目覚ましモードの実行中に、制御信号群に含まれる、入力された制御信号とは異なる制御信号が入力されたことを検知し、移行手段は、さらに、検知手段により制御信号が入力されたことが検知されるたびに、複数の目覚ましモードのうち入力された制御信号に対応する目覚ましモードで動作するように、動作モードの移行を行う。
【００２２】
好ましくは、制御部は、複数の目覚ましモードのいずれかを実行中に、制御信号群に含まれない制御信号が入力されたとき、実行中の目覚ましモードの動作を停止させ、入力された制御信号に応じた制御を行う。
【００２４】
この発明のさらに他の局面に従うと、光源と、制御信号に応じて光源の光出力を変化させる制御部とを備え、制御部は、光源の光出力を制御し、光源による照度を、所定の照度に到達するまでの期間において変化させる目覚ましモードを複数有している照明装置の制御プログラムは、制御部は、複数の目覚ましモードのうち、光源による照度が第１の照度からそれより高い第２の照度に到達するように制御を行う第１の目覚ましモードで動作中に、予め定められた制御信号群に含まれる制御信号が入力されたことを検知する検知ステップと、検知ステップによる検知が行われたとき、複数の目覚ましモードのうち、第１の目覚ましモードとは異なる、入力された制御信号に対応する目覚ましモードで動作するように、動作モードの移行を行う移行ステップと、制御信号が入力された入力時刻に応じて、移行ステップによる動作モードの移行後に実行される入力された制御信号に対応する目覚ましモードにおける光源による照度の増減率を変化させる変化ステップとをコンピューターに実行させる。
この発明のさらに他の局面に従うと、光源と、制御信号に応じて光源の光出力を変化させる制御部とを備え、制御部は、光源の光出力を制御し、光源による照度を、所定の照度に到達するまでの期間において変化させる目覚ましモードを複数有している照明装置の制御プログラムは、制御部は、複数の目覚ましモードのうち、光源による照度が第１の照度からそれより高い第２の照度に到達するように制御を行う第１の目覚ましモードで動作中に、予め定められた制御信号群に含まれる制御信号が入力されたことを検知する検知ステップと、検知ステップによる検知が行われたとき、複数の目覚ましモードのうち、第１の目覚ましモードとは異なる、入力された制御信号に対応する目覚ましモードで動作するように、動作モードの移行を行う移行ステップと、移行ステップにより動作モードの移行が行われた後、入力された制御信号に対応する目覚ましモードの実行中に制御信号が入力された回数に応じて、光源による照度の増減率を変化させる変更ステップとをコンピューターに実行させる。
【発明の効果】
【００２５】
これらの発明に従うと、第１の目覚ましモードで動作中に、予め定められた制御信号群に含まれる制御信号が入力されたとき、複数の目覚ましモードのうちの入力された制御信号に対応する目覚ましモードに動作モードが移行される。したがって、目覚ましモード中においてユーザーの多様なニーズに対応した制御を行うことができる、利便性が高い照明装置及び照明装置の制御プログラムを提供することができる。
【図面の簡単な説明】
【００２６】
【図１】本発明の第１の実施の形態における照明装置を示すブロック図である。
【図２】照明部の平面図である。
【図３】照明部の側断面図である。
【図４】送信機（リモコンの一例）を示す図である。
【図５】目覚まし機能の一例を説明するフローチャートである。
【図６】本発明の第１の実施の形態における目覚ましモードを説明するグラフである。
【図７】本発明の第２の実施の形態における目覚ましモードを説明するグラフである。
【図８】本発明の第３の実施の形態における目覚ましモードを説明するグラフである。
【図９】本発明の第４の実施の形態における目覚ましモードを説明するグラフである。
【図１０】本発明の第５の実施の形態における目覚ましモードを説明するグラフである。
【図１１】本発明の第６の実施の形態における目覚ましモードを説明するグラフである。
【図１２】本発明の第７の実施の形態における目覚ましモードを説明するグラフである。
【発明を実施するための形態】
【００２７】
以下、本発明の実施の形態における照明装置について説明する。
【００２８】
［第１の実施の形態］
【００２９】
［照明装置１の構成の説明］
【００３０】
まず、第１の実施の形態における照明装置の構成について説明する。
【００３１】
図１は、本発明の第１の実施の形態における照明装置１を示すブロック図である。
【００３２】
図１に示されるように、照明装置１は、大まかに、室内の天井面などに取り付けられる照明部１０と、ユーザー（就寝者）が手元で操作することができる送信機（リモートコントローラー（リモコン））２０とを有している。照明装置１は、照明部（本体部）１０が室内の壁面・天井面に取り付けられた状態で、ユーザーが送信機２０を操作することで、照明部１０による照明をオン、オフしたり、照明部１０による照度を変更したりできるように構成されている。
【００３３】
照明部１０は、リモコン受信部１１と、動作制御部（制御部の一例）１２と、ＬＥＤ駆動回路１３と、ＬＥＤモジュール（光源の一例）１４と、保安灯部１５と、報知音発信部（音出力手段の一例）１６とを備えている。
【００３４】
リモコン受信部１１（検知手段の一例）は、送信機２０から出力される制御信号を受信し、受信した制御信号を動作制御部１２に送る。
【００３５】
動作制御部１２には、リモコン受信部１１で受信された制御信号が入力される。動作制御部１２は、入力された制御信号に応じて、動作制御信号を出力する。動作制御信号は、ＬＥＤ駆動回路１３又は報知音発信部１６に入力される。動作制御部１２は、動作制御信号を出力することで、照明装置１の動作を制御する。
【００３６】
動作制御部１２は、動作モードの移行を行う移行手段を含む制御プログラム１２ａを有している。制御プログラム１２ａは、例えば、メモリなどに記憶されている。動作制御部１２は、制御プログラム１２ａを実行することで、後述のような目覚ましモードに関する制御など、照明装置１の種々の動作を制御する。
【００３７】
ＬＥＤ駆動回路１３は、動作制御部１２から入力された動作制御信号に応じて、ＬＥＤモジュール１４又は保安灯部１５に駆動信号を出力する。ＬＥＤ駆動回路１３は、交流電源Ｖｉｎに接続されており、交流電源Ｖｉｎからの交流電力を用いて、駆動信号を出力する。
【００３８】
ＬＥＤモジュール１４は、例えば複数のＬＥＤ（発光ダイオード）を含み、照明装置１において光源となる。ＬＥＤモジュール１４は、ＬＥＤ駆動回路１３から駆動信号が送られて電力供給されることで点灯する。本実施の形態において、照明装置１は調光機能を有するものであり、ＬＥＤモジュール１４が駆動信号に基づく明るさで点灯することで、ＬＥＤモジュール１４による照度を変化させることができるように（調光できるように）構成されている。
【００３９】
保安灯部１５は、例えば、ＬＥＤであり、常夜灯として用いられる。保安灯部１５は、ＬＥＤ駆動回路１３から駆動信号が送られて点灯する。保安灯部１５は、白熱灯などであってもよい。
【００４０】
報知音発信部１６は、動作制御部１２から送られた動作制御信号に基づいて、ユーザーに聞こえるように報知音を出力する。報知音発信部１６は、例えば、ユーザーの操作に伴い制御信号がリモコン受信部１１で受信された場合などに、その旨を示すものとして報知音を出力する。
【００４１】
図２は、照明部１０の平面図である。
【００４２】
図２に示されるように、照明部１０は平面視で略円形に形成されている。ＬＥＤモジュール１４は、その外形に沿うように、略一定の幅の円環をなすように配置されている。図２においてＬＥＤモジュール１４よりも内側の部分には、リモコン受信部１１、動作制御部１２、ＬＥＤ駆動回路１３、保安灯部１５、及び報知音発信部１６などが配置されている。これらの照明部１０の各部は、本体カバー１７により覆われている。
【００４３】
図３は、照明部１０の側断面図である。
【００４４】
図３に示されるように、本体カバー１７は、リモコン受信部１１、動作制御部１２、ＬＥＤ駆動回路１３、ＬＥＤモジュール１４、保安灯部１５、及び報知音発信部１６などを覆っている。本体カバー１７は、例えば光透過性の樹脂などを用いて形成されている。照明部１０は、ＬＥＤモジュール１４や保安灯部１５から出射され本体カバー１７を透過した光により、部屋などを照明する。
【００４５】
図４は、送信機２０（リモコンの一例）を示す図である。
【００４６】
図４に示されるように、送信機２０は、大まかに、複数の操作ボタンを含む動作指令部２１と、制御信号を照明部１０に出力する送信部２２を備える。制御信号は、例えば赤外線や電波として出力される。すなわち、送信機２０は、ワイヤレスリモコンである。送信機２０は、ユーザーや送信機２０の制御回路などからの制御指令に応じて、制御信号を照明部１０に出力可能である。
【００４７】
動作指令部２１には、例えば、表示部２３と、設定部２４と、調光指示部２５と、保安灯調光ボタン２６と、目覚ましタイマーボタン２７などが設けられている。
【００４８】
表示部２３は、例えば、液晶ディスプレイである。表示部２３は、例えば現在の時刻や、例えば後述の目覚ましモードに関する設定状況など、照明装置１の動作状況をユーザーに表示可能である。
【００４９】
設定部２４には、例えば、時刻などを設定するためのボタン群が配置されている。設定部２４のボタンは、例えば、目覚ましタイマーボタン２７などとともに、目覚ましモードのタイマーをセットするためなどに用いられる。
【００５０】
調光指示部２５には、複数の特定の制御信号のそれぞれを出力させるための指令を、送信機２０に入力するための制御信号ボタン群が配置されている。複数の特定の制御信号は、後述の目覚ましモードの実行時にも用いられうるものであり、予め定められたものである。換言すると、これらの複数の特定の制御信号は、予め定められた制御信号群に含まれるものである。
【００５１】
本実施の形態では、調光指示部２５の制御信号ボタン群には、全点灯ボタン２５ａと、消灯ボタン２５ｂと、調光増大ボタン２５ｃと、調光低減ボタン２５ｄとが設けられている。全点灯ボタン２５ａが操作されると、送信機２０から、ＬＥＤモジュール１４を全点灯させる全点灯信号が出力される。消灯ボタン２５ｂが操作されると、送信機２０から、ＬＥＤモジュール１４を消灯させる消灯信号が出力される。調光増大ボタン２５ｃが操作されると、送信機２０から、ＬＥＤモジュール１４による照度を増大させる調光増大信号が出力される。調光低減ボタン２５ｄが操作されると、送信機２０から、ＬＥＤモジュール１４による照度を低減させる調光低減信号が出力される。すなわち、本実施の形態では、予め定められた制御信号群には、全点灯信号と、消灯信号と、調光増大信号と、調光低減信号との、ＬＥＤモジュール１４の調光に関する４つの制御信号が含まれている。
【００５２】
保安灯調光ボタン２６は、保安灯部１５の光出力を増大、低減させるための指令を入力するためのものである。保安灯調光ボタン２６が操作されると、保安灯部１５の光出力を増大させるための保安灯調光増大信号や、保安灯部１５の光出力を低減させるための保安灯調光低減信号が出力される。
【００５３】
目覚ましタイマーボタン２７は、照明装置１を目覚ましモードで動作させるときなどに用いられる。例えば、設定部２４により設定された時刻を基準に目覚ましモードのタイマーをセットしたり、目覚ましモードのタイマーを解除、リセットしたりすることができる。目覚ましタイマーボタン２７が操作されると、例えば設定された時刻でタイマーを動作させるか目覚ましモードを解除するかを切り替えるための目覚ましタイマー信号が照明部１０に送られる。照明部１０では、リモコン受信部１１により目覚ましタイマー信号が受信され、動作制御部１２が、その目覚ましタイマー信号に基づいて、目覚ましモードのタイマーの設定又は解除など、目覚ましモードの動作に関する制御を行う。
【００５４】
上記のような予め定められた制御信号群に含まれる制御信号を出力させるための調光指示部２５のボタン２５ａ，２５ｂ，２５ｃ，２５ｄに対して、保安灯調光ボタン２６と、目覚ましタイマーボタン２７とは、いわば、予め定められた制御信号群に属さない制御信号を出力させるためのものである。
【００５５】
調光指示部２５のボタン２５ａ，２５ｂ，２５ｃ，２５ｄや保安灯調光ボタン２６などが操作されると、上述のような操作されたボタンに対応する制御信号が照明部１０に送られる。照明部１０では、リモコン受信部１１により制御信号が受信され、動作制御部１２が、その制御信号に基づいて、ＬＥＤ駆動回路１３に動作制御信号を送る。これにより、リモコン受信部１１で受診された制御信号に基づいて、ＬＥＤモジュール１４や保安灯部１５の点灯状態が制御される。調光指示部２５のボタン２５ａ，２５ｂ，２５ｃ，２５ｄが操作され、調光に関する制御信号が出力されると、動作制御部１２は、制御信号に応じて、ＬＥＤモジュール１４の光出力を変化させる。
【００５６】
［目覚まし機能の説明］
【００５７】
照明装置１は、目覚まし機能を有している。目覚まし機能では、就寝しているユーザー（就寝者）の起床時に、予め設定された目覚ましモードにより設定時刻から就寝空間の照度を徐々に変化させ、照度を所定の照度まで高くすることにより、ユーザーの目覚めを促すことができる。目覚まし機能は、動作制御部１２が、所定の制御プログラム１２ａを実行し、動作モードを目覚ましモードとして制御を行うことで実現される。すなわち、動作制御部１２は、実行している目覚ましモードに従ってＬＥＤモジュール１４の光出力を制御することで、ＬＥＤモジュール１４による照度を変化させ、目覚まし機能を実現する。
【００５８】
ここで、本実施の形態において、動作制御部１２は、動作モードとして、複数の目覚ましモードを有している。複数の目覚ましモードには、後述するように、標準目覚ましモード（第１の目覚ましモードの一例）と、第２〜第５の目覚ましモードとが含まれている。動作制御部１２は、目覚まし機能を行うときには、複数の目覚ましモードのうち１つを動作モードとして制御を行う。動作制御部１２は、目覚まし機能を行っているとき、所定のきっかけに応じて、複数の目覚ましモードのうちの１つに動作モードを移行し、目覚まし機能の制御を継続する。
【００５９】
複数の目覚ましモードのそれぞれは、いずれも、ＬＥＤモジュール１４による照度が所定の照度に到達するまでの期間において、ＬＥＤモジュール１４による照度が変化するように、動作制御部１２にＬＥＤモジュール１４の光出力を制御させるものである。第１の実施の形態において、複数の目覚ましモードのそれぞれの実行時においては、ＬＥＤモジュール１４による照度の増減率がゼロになる期間はほとんどなく、略常時、ＬＥＤモジュール１４の光出力は増減される。後述するように、複数の目覚ましモードのそれぞれは、照度の増減率が略一定であり、照度が漸次増大又は減少するように、すなわち照度が徐々に変化するように、ＬＥＤモジュール１４の光出力を制御するものである。
【００６０】
なお、以下の説明（他の実施の形態の説明も含む）において、ＬＥＤモジュール１４のことを光源ということがあり、動作制御部１２のことを単に制御部ということがある。また、上記の予め定められた制御信号群に含まれる制御信号のそれぞれ（全点灯信号、調光増大信号、調光低減信号、消灯信号など）を総称して特定制御信号ということがある。また、ＬＥＤモジュール１４による照度を単に照度ということがある。
【００６１】
本実施の形態において、目覚まし機能は、ユーザーなどにより予め設定された時刻になったとき、制御部が、動作モードを複数の目覚ましモードのうち標準目覚ましモードに移行することにより開始される。特段ユーザーからの指示がないような通常時においては、目覚まし機能は、標準目覚ましモードに基づいて行われた後、終了する。
【００６２】
ここで、制御部は、標準目覚ましモードで動作中に、特定制御信号が入力されたとき、それを検知する。そして、標準目覚ましモードで動作中に特定制御信号の入力を検知したとき、動作モードの移行を行う。移行先となる動作モードとしては、予め設けられている複数の目覚ましモードのうち、実行中の標準目覚ましモードとは異なる、入力された特定制御信号に対応するものが選択される。すなわち、標準目覚ましモードで動作中に特定制御信号が入力されたとき、制御部は、標準目覚ましモードから、入力された特定制御信号に対応する目覚ましモードに動作モードを移行する。
【００６３】
図５は、目覚まし機能の一例を説明するフローチャートである。
【００６４】
図５に示されるように、目覚まし機能がスタートすると、ステップＳ１１において、制御部は、設定時刻が到来したか否かを判断する。設定時刻が到来するまでは、それまでの動作モードでの動作が継続される。例えば、目覚まし機能は、ユーザーが就寝する際に、例えば照明装置１が消灯されてから開始される。目覚まし機能が開始されるまでの動作モードは、例えば、照明装置１を点灯させる制御信号を受け付け、受け付けられた制御信号に応じて光源の光出力の制御などを行う通常の動作モードである。
【００６５】
ステップＳ１１において設定時刻が到来すると、ステップＳ１２において、制御部は、動作モードを標準目覚ましモードに移行する。これにより、目覚まし機能による照明部１０の点灯が開始される。
【００６６】
ステップＳ１３において、制御部は、照度が所定の第１の照度になるように、光源の光出力を制御する。第１の照度は、後述するような低照度域の照度である。
【００６７】
ステップＳ１４において、制御部は、光源の光出力を標準目覚ましモードで制御し、照度を変化させる。
【００６８】
ステップＳ１５において、制御部は、検知手段であるリモコン受信部１１にて特定制御信号が入力されたか否かを検知する。
【００６９】
ステップＳ１５で特定制御信号の入力が検知されなかったときには、ステップＳ１６において、制御部は、設定時刻が到来してから所定の時間が経過したか否かを判断する。なお、このとき、制御部は、所定の時間が経過したか否かの判断に代えて、照度が第１の照度より高い第２の照度になるように制御を行ったか否かを判断するようにしてもよい。
【００７０】
ステップＳ１６で所定時間が経過したときには、ステップＳ１７において、制御部は、標準目覚ましモードを終了する。これにより、目覚まし機能が終了する。標準目覚ましモードが終了するとき、制御部は、動作モードを例えば上記のような通常の動作モードに移行する。動作モードが移行されると、例えば、標準目覚ましモードが終了したときの照度で、継続して、照明が行われる。
【００７１】
ここで、ステップＳ１５において、ステップＳ１６で所定時間が経過するまでの期間すなわち標準目覚ましモードで動作中に、特定制御信号の入力が検知されたとき、ステップＳ１８の処理が行われる。すなわち、ステップＳ１８において、制御部は、制御プログラム１２ａで定められた移行プログラム（移行手段）によって標準目覚ましモードから入力された特定制御信号に対応する目覚ましモードに動作モードを移行する。
【００７２】
ステップＳ１９において、制御部は、移行した、入力された特定制御信号に対応する目覚ましモードによる制御を行う。光源の光出力は、移行した目覚ましモードに基づいて、照度が変化するように、制御される。その後、移行した目覚ましモードによる制御が終了すると、ステップＳ１７に移り、目覚まし機能が終了する。
【００７３】
［目覚ましモードと照明装置１の動作例の説明］
【００７４】
以下に、各目覚ましモードとその実行時の照明装置１の動作について説明する。
【００７５】
図６は、本発明の第１の実施の形態における目覚ましモードを説明するグラフである。
【００７６】
図６は、目覚ましモードの実行時の時間の経過と照度との関係の一例を示すものである。図６において、Ａ１は標準目覚ましモードが行われる期間（図５の「所定時間（ステップＳ１６）」に対応）を、Ｌ１は低照度域の照度（第１の照度の一例、図５の「第１の照度（ステップＳ１３）」に対応）を、Ｌ４は目覚ましモード移行時の照度を、Ｌ１１は高照度域の照度（第２の照度の一例、所定の照度の一例）を、Ｌｍは全点灯の照度を、Ｌ０は消灯時の照度をそれぞれ示している。
【００７７】
また、図６において、Ｔ１は標準目覚ましモードの開始時刻（図５の「設定時刻（ステップＳ１１）」に対応）を、Ｔ２は特定制御信号が入力される時刻（目覚ましモードの移行タイミング）を、Ｔ４は第５の目覚ましモードの終了時刻（消灯時刻）を、Ｔ５は第２の目覚ましモードの終了時刻（全点灯となる時刻）を、Ｔ１１は第３の目覚ましモードの終了時刻（照度がＬ１１となる時刻）を、Ｔ１５は標準目覚ましモードの終了時刻（照度がＬ１１となる時刻）を、Ｔ１７は第４の目覚ましモード終了時刻（照度がＬ１１となる時刻）を、それぞれ示している。
【００７８】
照明装置１が、所定の開始時刻Ｔ１になると、目覚まし機能を開始するように設定されている場合を想定する。この場合、図６に示されるように、開始時刻Ｔ１が到来するまでは、例えばユーザーの操作に従って光源は消灯状態とされており、ユーザーは快適に就寝可能である。開始時刻Ｔ１より前の時刻Ｔ０において、光源が消灯状態であるとき、図６に示されるように、少なくとも時刻Ｔ０から時刻Ｔ１まで、照度は略ゼロ（Ｌ０）である。なお、この間に光源を点灯させる操作が行われたときには、光源が点灯される。
【００７９】
［標準目覚ましモード］
【００８０】
時刻Ｔ１になると、制御部は、動作モードを標準目覚ましモード（第１の目覚ましモード）に移行する。これにより、目覚まし機能による光源の光出力の制御が開始される。図６において、標準目覚ましモード時の時刻と照度との関係は、符号ａで示される実線及び破線で示されている。
【００８１】
標準目覚ましモード（ａ）では、所定の期間Ａ１が経過するとき、照度が、低照度域の照度Ｌ１から、それより高い高照度域の照度Ｌ１１に到達するように、制御部による制御が行われる。期間Ａ１は、標準目覚ましモードの動作期間である。
【００８２】
なお、低照度域の照度Ｌ１と高照度域の照度Ｌ１１とは、適宜設定されていればよい。ユーザーが、例えば送信機２０などを操作して、照度Ｌ１とＬ１１との少なくとも一方を事前に設定できるようにしてもよい。
【００８３】
時刻Ｔ１に動作モードが標準目覚ましモードに移行すると、光源がごく小さい光出力で点灯され、照度がＬ０から低照度域のＬ１に上昇する。第１の実施の形態において、標準目覚ましモードは、時刻Ｔ１に照度がＬ１である状態からスタートされる。そして、照度は、単調に、略一定の増大率で増大し、時刻Ｔ１から期間Ａ１後の時刻Ｔ１５に照度がＬ１１に到達するように設定されている。換言すると、標準目覚ましモードは、照度がＬ１１に到達するまで、すなわち時刻Ｔ１から時刻Ｔ１５まで、照度が漸次増大するように、光源の光出力を変化させる制御を行う動作モードである。
【００８４】
ここで、制御部は、特定制御信号の種類に対応した複数の目覚ましモードを予め記憶している。標準目覚ましモードの実行中に、送信機２０から出力される特定制御信号が照明部１０に入力されると、制御部により、特定制御信号に対応する目覚ましモードが選択される。換言すると、標準目覚ましモードで動作中に入力された特定制御信号によって、移行先となる目覚ましモードが異なる。制御部の動作モードが変わると、ＬＥＤ駆動回路１３を介して、ＬＥＤモジュール１４がその目覚ましモードの動作態様で点灯制御される。
【００８５】
次に、図６に示されるように、時刻Ｔ１から所定時間後の時刻Ｔ２において特定制御信号が入力された場合を想定し、特定制御信号の種類別に行われる動作について説明する。なお、時刻Ｔ１から時刻Ｔ２まで標準目覚ましモードが実行されていることにより、時刻Ｔ１においてＬ１であった照度は、時刻Ｔ２においてＬ４まで上昇しているものとする。
【００８６】
［第２の目覚ましモード］
【００８７】
全点灯信号が入力されたとき、制御部は、全点灯信号に対応する第２の目覚ましモードに動作モードを移行する。図６において、第２の目覚ましモード時の時刻と照度との関係は、符号ｂで示される実線で示されている。
【００８８】
第２の目覚ましモード（ｂ）は、照度が標準目覚ましモードよりも高い増大率で増大して全点灯の照度Ｌｍに到達するように、光源の光出力を制御する動作モードである。図６に示されるように、第２の目覚ましモードに移行すると、照度が上昇する速度がそれ以前よりも高くなる（グラフ上の符号ｂで示される実線の傾きが大きくなる。）。そして、時刻Ｔ１５よりも相当前に所定の照度Ｌ１１に達した後、時刻Ｔ５において全点灯状態となり、照度が全点灯の照度Ｌｍに達する。照度がＬｍに達すると、動作モードが第２の目覚ましモードから通常の動作モードへと移行され、目覚まし機能が終了する。時刻Ｔ５以降は、ユーザーなどによる指示が行われたり、タイマーなどによる調光が行われたりするまで、全点灯状態が継続される。
【００８９】
第２の目覚ましモードは、例えば、就寝しており、標準目覚ましモードの実行中に覚醒したユーザーが、その後速やかに照度を増大させて全点灯状態として、快適に起床しようと考えた場合に有効な動作モードである。すなわち、第２の目覚ましモードでは、全点灯状態に到達するまで、多少の時間がかかり、瞬間的に全点灯状態となることがない。したがって、ユーザーにとって、照明がまぶしく、不快に感じられてしまうことを防止することができる。
【００９０】
［第３の目覚ましモード］
【００９１】
調光増大信号が入力されたとき、制御部は、調光増大信号に対応する第３の目覚ましモードに動作モードを移行する。図６において、第３の目覚ましモード時の時刻と照度との関係は、符号ｃで示される実線で示されている。
【００９２】
第３の目覚ましモード（ｃ）は、照度が、標準目覚ましモードよりも高い増大率で増大して、所定の照度Ｌ１１すなわち標準目覚ましモードで到達することが予定されていた照度に到達するように、光源の光出力を制御する動作モードである。図６に示されるように、第３の目覚ましモードに移行すると、照度が上昇する速度がそれ以前よりも高くなり、時刻Ｔ１５よりも相当前の時刻Ｔ１１に、照度が所定の照度Ｌ１１に達する。照度がＬ１１に達すると、動作モードが第３の目覚ましモードから通常の動作モードへと移行され、目覚まし機能が終了し、その点灯状態が継続される。
【００９３】
ここで、第３の目覚ましモードの実行時における照度の増大率は、第２の目覚ましモードの実行時における照度の増大率よりも低くなるように設定されているが、これに限られるものではない。また、動作モードが第３の目覚ましモードになってから所定の時間が経過したとき、第３の目覚ましモードが終了し、そのときの照度がＬ１１になるように照度の増大率が設定されてもよい。
【００９４】
第３の目覚ましモードは、就寝しており、標準目覚ましモードの実行中に覚醒したユーザーが、通常よりも早く所定の照度まで照度を増大させて快適に起床したいと考えた場合などに有効なモードである。所定の照度まで照度が上昇する速度は、標準目覚ましモードで動作中であるときよりも高いものの、瞬間的に照度が上昇するものではない。したがって、目覚ましモードによりユーザーに不快感を与えることを防止することができる。
【００９５】
［第４の目覚ましモード］
【００９６】
調光低減信号が入力されたとき、制御部は、調光低減信号に対応する第４の目覚ましモードに動作モードを移行する。図６において、第４の目覚ましモード時の時刻と照度との関係は、符号ｄで示される実線で示されている。
【００９７】
第４の目覚ましモード（ｄ）は、照度が標準目覚ましモードよりも低い増大率で増大して、所定の照度Ｌ１１に到達するように、光源の光出力を制御する動作モードである。図６に示されるように、第４の目覚ましモードに移行すると、照度が上昇する速度がそれ以前よりも低くなり（グラフ上の符号ｄで示される実線の傾きが小さくなり）、時刻Ｔ１５よりも後の時刻Ｔ１７に照度が所定の照度Ｌ１１に到達する。照度がＬ１１に達すると、動作モードが第４の目覚ましモードから通常の動作モードへと移行され、目覚まし機能が終了し、その点灯状態が維持される。
【００９８】
第４の目覚ましモードは、例えば、就寝しており、標準目覚ましモードの実行中に覚醒したユーザーが、起床するまでの時間を当初の予定よりも少し長く確保したいと考えた場合などに有効なモードである。容易な操作で、徐々に照度が高くなるようにしたままで、所定の照度Ｌ１１に到達する時刻を遅らせることができる。
【００９９】
［第５の目覚ましモード］
【０１００】
消灯信号が入力されたとき、制御部は、消灯信号に対応する第５の目覚ましモードに動作モードを移行する。図６において、第５の目覚ましモード時の時刻と照度との関係は、符号ｅで示される実線で示されている。
【０１０１】
第５の目覚ましモード（ｅ）は、照度が所定の低減率で低減して消灯時の照度Ｌ０に到達するように、光源の光出力を制御する動作モードである。図６に示されるように、第５の目覚ましモードに移行すると、照度がＬ４からＬ０になるまで、時間の経過に伴い、照度が、単調に、一定の低減率で、徐々に低くなる（グラフ上の符号ｅで示される負の傾きの実線となる）。時刻Ｔ２より後の時刻Ｔ４には、光源が消灯され、照度がＬ０になる。照度がＬ０になると、動作モードが第５の目覚ましモードから通常の動作モードへと移行され、目覚まし機能が終了する。
【０１０２】
第５の目覚ましモードは、就寝していたユーザーが、標準目覚ましモードの実行中に、当初の予定の起床時刻に起床するのをやめることを考えた場合、すなわち起床時刻を特定しないこととした場合に有効な動作モードである。このとき、制御信号の受信に伴って瞬間的に消灯されるのではなく、消灯までに傾斜を設けて徐々に照度が低下するように構成されていることにより、ユーザーに刺激を与えず、ゆっくりと就寝環境を暗くしてユーザーに就寝を促す効果を期待することができる。
【０１０３】
このように、第１の実施の形態では、標準目覚ましモードで動作中に送られた特定制御信号に基づいて動作モードが他の目覚ましモードに移行される。したがって、ユーザーは、照明装置１が標準目覚ましモードで動作しているとき、送信機２０などを操作して所望の操作を行うことで、様々な態様で照度を変化させて、目覚まし機能を利用することができる。ユーザーは、目覚めたときの状況（例えば、目覚めた時刻や、目覚めたときのユーザーの気分や体調などの状態など）に応じて、照明装置１を希望する目覚ましモードに移行させることができる。したがって、目覚まし機能を利用して、快適に目覚めることができる。
【０１０４】
また、第１の実施の形態において、第２〜第５の目覚ましモードのそれぞれは、照度が所定の照度に到達するまで漸次変化するように光源の光出力を変化させる制御を行う動作モードである。したがって、特定制御信号が入力されたとき、瞬間的に照度が変わることがなくなるため、ユーザーが照度の急激な変化を不快に感じることがなくなる。これにより、ユーザーが心地よく利用できる目覚まし機能を提供することができる。
【０１０５】
［第２の実施の形態］
【０１０６】
第２の実施の形態における照明装置の基本的な構成は、第１の実施の形態におけるそれと同じであるためここでの説明を繰り返さない。第２の実施の形態においては、標準目覚ましモードで動作中であるときに特定制御信号が入力された場合の制御部の動作が第１の実施の形態と異なる。
【０１０７】
第２の実施の形態において、制御部は、標準目覚ましモードで動作中に特定制御信号が入力されたとき、その特定制御信号が入力された時刻によって、移行後の目覚ましモードの実行中の照度の増減率を変更する。
【０１０８】
図７は、本発明の第２の実施の形態における目覚ましモードを説明するグラフである。
【０１０９】
図７においては、第２の実施の形態の具体例として、特定制御信号として全点灯信号が入力された場合の時刻と照度との関係が示されている。符号ｂ１で示される実線は、時刻Ｔ２に全点灯信号が入力された場合に実行される第２の目覚ましモードにおける時刻と照度との関係を示す。符号ｂ４で示される実線は、時刻Ｔ２より後の時刻Ｔ８に全点灯信号が入力された場合に実行される第２の目覚ましモードにおける時刻と照度との関係を示す。
【０１１０】
図７に示されるように、時刻Ｔ２に全点灯信号が入力されたとき、動作モードは、照度変化をグラフに示した場合の傾斜角度がα１である第２の目覚ましモード（ｂ１）に移行し、時刻Ｔ５で全点灯の照度Ｌｍに達する。α１は、標準目覚ましモード（ａ）を示す直線の傾斜角度よりも大きい角度である。すなわち、時刻Ｔ２に移行された第２の目覚ましモード（ｂ１）における照度の増加率は、標準目覚ましモードにおける照度の増加率よりも大きい。
【０１１１】
他方、全点灯信号が時刻Ｔ２よりも遅い時刻Ｔ８に入力されたとき、動作モードは、照度変化をグラフに示した場合の傾斜角度がα１より大きいα２である第２の目覚ましモード（ｂ４）に移行し、時刻Ｔ１２で全点灯の照度Ｌｍに達する。すなわち、時刻Ｔ８に移行された第２の目覚ましモード（ｂ４）における照度の増加率は、時刻Ｔ２に移行される第２の目覚ましモード（ｂ１）における照度の増加率よりも大きい。
【０１１２】
このように、全点灯信号が遅い時刻に入力されるほど照度の増加率が大きくなることで、信号が入力されてから全点灯の照度Ｌｍに達するまでに要する時間が短縮される。そのため、例えば、覚醒した時刻が遅いほど速やかに照度を高くしたいというニーズに特に有効である。
【０１１３】
なお、第２の実施の形態は、全点灯信号以外の特定制御信号にも適用可能である。特定制御信号の種類によっては、遅い時刻に入力されるほど傾斜角度を緩やかにするように設定してもよい。また、同じ特定制御信号であっても、必要に応じて、遅い時刻に入力されるほど傾斜角度を緩やかにするように設定してもよい。第２の実施の形態では、ユーザーの操作により特定制御信号が送られたときに、その操作タイミングに応じた照度変化をさせることができ、ユーザーのニーズに即した態様で、目覚まし機能を実行させることができる。
【０１１４】
［第３の実施の形態］
【０１１５】
第３の実施の形態における照明装置の基本的な構成は、第１の実施の形態におけるそれと同じであるため、ここでの説明を繰り返さない。第３の実施の形態においては、標準目覚ましモードで動作中であるときに特定制御信号が入力された後の制御部の動作が第１の実施の形態と異なる。
【０１１６】
図８は、本発明の第３の実施の形態における目覚ましモードを説明するグラフである。
【０１１７】
第３の実施の形態では、上述の第１の実施の形態と同様に、標準目覚ましモードで動作中に特定制御信号が入力されたとき、その特定制御信号に対応する目覚ましモードに、動作モードが移行される。ここで、制御部は、特定制御信号に対応する目覚ましモードの実行中において、その特定制御信号が入力された回数に応じて、照度の増減率を変化させる制御を行う。
【０１１８】
図８に示されるように、標準目覚ましモード（ａ）の実行中の時刻Ｔ２に特定制御信号が入力されると、例えば、特定制御信号に対応した目覚ましモードとして、第２の目覚ましモード（ｂ１）、第３の目覚ましモード（ｃ１）、第４の目覚ましモード（ｄ１）、第５の目覚ましモード（ｅ１）に動作モードが移行する。このとき、制御部は、実行中の目覚ましモードに対応する特定制御信号が入力される毎に、入力された特定制御信号に応じて、すなわち実行されている目覚ましモードに応じて、照度の増加率を大きくしたり、小さくさせたりする。例えば、第２の目覚ましモードに対応する全点灯信号が入力されるたびに、第２の目覚ましモードの照度変化の態様は、図８における符号ｂ１から符号ｂ２（２回目の信号入力があったとき）へ、符号ｂ２から符号ｂ３へ（３回目の信号入力があったとき）、と変更される。他の目覚ましモードの実行中の動作も、これと同様である。
【０１１９】
本実施の形態では、標準目覚ましモードにおける照度の増加率と比較して、照度の増加率が大きい目覚ましモードを実行中であるときは、その目覚ましモードに対応する特定制御信号が入力されるたびに、照度の増加率が大きくなるように制御される。他方、標準目覚ましモードにおける照度の増加率と比較して照度の増加率が小さい目覚ましモード（照度の増加率が負である目覚ましモードを含む）を実行中であるとき、その目覚ましモードに対応する特定制御信号が入力されるたびに、照度の増加率が減少するように制御される。より具体的には、全点灯信号又は調光増大信号が繰り返し入力されるとき、第２の目覚ましモード又は第３の目覚ましモードにおける照度の増加率は、信号が入力されるたびに大きくなる（図８に示されるように、符号ｂ１，ｂ２，ｂ３の順、又は符号ｃ１，ｃ２，ｃ３の順に、照度の変化を示す直線の傾きが大きくなる。）。また、調光低減信号が繰り返し入力されるとき、第４の目覚ましモードにおける照度の増加率は、信号が入力されるたびに小さくなる（図８に示されるように、符号ｄ１，ｄ２，ｄ３の順に、照度の変化を示す直線の傾きが小さくなる。）。また、消灯信号が繰り返し入力されるとき、第５の目覚ましモードにおける照度の増加率は、信号が入力されるたびに減少する。換言すると、照度の減少率が大きくなる（図８に示されるように、符号ｅ１，ｅ２，ｅ３の順に、照度の変化を示す直線の傾きが負の方向に大きくなる。）。
【０１２０】
第３の実施の形態では、ユーザーは、特定制御信号の入力回数に応じて、増減率を変化させることができる。したがって、それぞれの目覚ましモードの実行時において、目覚ましモードの終了時刻を、ユーザーの希望に応じて調整可能になる。ユーザーは、自身の意図をより反映させた態様で種々の目覚ましモードを実行させることができる。
【０１２１】
なお、増減率の変化は、図８に示される例に限定されるものではない。例えば、それぞれの目覚ましモードにおいて、それに対応する特定制御信号が入力されるたびに、照度の増加率が増大するように構成されていてもよい。
【０１２２】
［第４の実施の形態］
【０１２３】
第４の実施の形態における照明装置の基本的な構成は、第１の実施の形態におけるそれと同じであるため、ここでの説明を繰り返さない。第４の実施の形態においては、標準目覚ましモードで動作中であるときに特定制御信号が入力された場合の制御部の動作が第１の実施の形態と異なる。
【０１２４】
図９は、本発明の第４の実施の形態における目覚ましモードを説明するグラフである。
【０１２５】
第４の実施の形態では、標準目覚ましモードで動作中に特定制御信号が入力されたとき、その特定制御信号の入力時刻における照度が所定値だけ増減した後に特定制御信号に対応する増減率で照度が変化するように光源の光出力を制御する目覚ましモードに、動作モードが移行される。ここで、特定時刻における照度の増減は、比較的に短時間で、瞬間的に行われる。照度の増減値は、例えば、入力された特定制御信号に対応するものとして予め設定された値である。また、このようにして移行された目覚ましモードの実行中に、特定制御信号が入力されるたびに、上記のような動作モードの移行が繰り返して行われる。
【０１２６】
図９に示されるように、時刻Ｔ１に標準目覚ましモード（ａ）の動作が開始された後、特定制御信号である調光増大信号が時刻Ｔ２に入力され（１度目の入力）、その後の時刻Ｔ３に再度入力（２度目の入力）される場合を想定する。時刻Ｔ２まで標準目覚ましモード（ａ）の動作が行われることにより、時刻Ｔ２における照度はＬ４になっている。
【０１２７】
時刻Ｔ２に１度目の調光増大信号の入力があると、動作モードが第６の目覚ましモード（ｃ４）に移行される。第４の実施の形態において第６の目覚ましモードは、調光増大信号の入力時刻における照度が所定値（Ｌ６からＬ４を減じた値）だけ増加した後に、調光増大信号に対応する所定の増加率（本実施の形態では標準目覚ましモードにおける増加率と同じ）で照度が変化するように、光源の光出力を制御するものである。すなわち、時刻Ｔ２に調光増大信号が入力されると、動作モードが移行された結果、時刻Ｔ２において照度がＬ４からＬ６に増加するように、光源の光出力が変更される。そして、時刻Ｔ２以降は、照度が、Ｌ６から、標準目覚ましモードにおける増加率と同じ増加率で変化するように、制御が行われる。第６の目覚ましモードによる制御が行われることにより、時刻Ｔ３には、照度はＬ７まで上昇する。
【０１２８】
第６の目覚ましモード（ｃ４）の実行中である時刻Ｔ３に２度目の調光増大信号の入力があると、再度、動作モードが第６の目覚ましモード（ｃ５）に移行される。換言すると、２度目の調光増大信号の入力があると、第６の目覚ましモードの移行時からの動作が、やり直される。すなわち、動作モードが移行されることにより、時刻Ｔ３において照度がＬ７からＬ８に増加するように、光源の光出力が変更される。このときの照度の増加量は、Ｌ４からＬ６への増加量と同じである。そして、時刻Ｔ３以降は、照度が、Ｌ８から、標準目覚ましモードにおける増加率と同じ増加率で変化するように、制御が行われる。このように第６の目覚ましモードによる制御が行われることにより、時刻Ｔ１０には、照度が所定の照度であるＬ１１に到達する。照度がＬ１１に達すると、動作モードが第６の目覚ましモードから通常の動作モードへと移行され、目覚まし機能が終了し、その点灯状態が継続される。なお、照度がＬ１１に達するまでに、さらに調光増大信号の入力があれば、再度、動作モードが第６の目覚ましモードに移行される。
【０１２９】
他方、特定制御信号である調光低減信号が、時刻Ｔ２に入力され（１度目の入力）、その後の時刻Ｔ９に再度入力（２度目の入力）される場合を想定する。
【０１３０】
時刻Ｔ２に１度目の調光低減信号の入力があると、動作モードが第７の目覚ましモード（ｄ４）に移行される。第４の実施の形態において第７の目覚ましモードは、調光低減信号の入力時刻における照度が所定値（Ｌ４からＬ２を減じた値）だけ減少した後に、調光低減信号に対応する所定の増加率（本実施の形態では標準目覚ましモードにおける増加率と同じ）で照度が変化するように、光源の光出力を制御するものである。すなわち、時刻Ｔ２に調光減少信号が入力されると、動作モードが移行された結果、時刻Ｔ２において照度がＬ４からＬ２に減少するように、光源の光出力が変更される。そして、時刻Ｔ２以降は、照度が、Ｌ２から、標準目覚ましモードにおける増加率と同じ増加率で変化するように、制御が行われる。第７の目覚ましモードによる制御が行われることにより、時刻Ｔ９には、照度はＬ５になっている。
【０１３１】
第７の目覚ましモード（ｄ４）の実行中である時刻Ｔ９に２度目の調光低減信号の入力があると、再度、動作モードが第７の目覚ましモード（ｄ５）に移行される。換言すると、２度目の調光低減信号の入力があると、第７の目覚ましモードの移行時からの動作が、やり直される。すなわち、動作モードが移行されることにより、時刻Ｔ９において照度がＬ５からＬ３に減少するように、光源の光出力が変更される。このときの照度の減少量は、Ｌ４からＬ２の減少量と同じである。そして、時刻Ｔ９以降は、照度が、Ｌ３から、標準目覚ましモードにおける増加率と同じ増加率で変化するように、制御が行われる。このように第７の目覚ましモードによる制御が行われることにより、時刻Ｔ１９に、照度が所定の照度であるＬ１１に到達する。照度がＬ１１に達すると、動作モードが第７の目覚ましモードから通常の動作モードへと移行され、目覚まし機能が終了し、その点灯状態が継続される。なお、照度がＬ１１に達するまでに、さらに調光低減信号の入力があれば、再度、動作モードが第７の目覚ましモードに移行される。
【０１３２】
第４の実施の形態においては、特定制御信号に対応する目覚ましモードに移行すると、移行したとき、すなわち特定制御信号の入力時刻において、照度が、所定値だけ増減される。したがって、各動作モードの終了時刻すなわち照度がＬ１１に達する時刻を、早めたり、遅くしたり、簡易にかつ速やかに調整することができる。
【０１３３】
なお、第４の実施の形態の特定制御信号は、上記の例に限定されず、他の特定制御信号であってもよい。
【０１３４】
また、上記では、動作モード移行後の目覚ましモードの実行時において、標準目覚ましモードの増大率と同じ増大率で照度が増加する例を示したが、必ずしもこれに限られない。すなわち、照度は、標準目覚ましモードの増大率で増大する必要はなく、例えば、それぞれの目覚ましモード固有の増大率で増大するようにしてもよい。
【０１３５】
［第５の実施の形態］
【０１３６】
第５の実施の形態における照明装置の基本的な構成は、第１の実施の形態におけるそれと同じであるため、ここでの説明を繰り返さない。第５の実施の形態においては、目覚ましモードで動作中であるときに繰り返して特定制御信号が入力された場合の制御部の動作が第１の実施の形態と異なる。
【０１３７】
図１０は、本発明の第５の実施の形態における目覚ましモードを説明するグラフである。
【０１３８】
第５の実施の形態では、上述の第１の実施の形態と同様に、標準目覚ましモードで動作中に特定制御信号が入力されたとき、その特定制御信号に対応する目覚ましモードに、動作モードが移行される。ここで、制御部は、特定制御信号に対応する目覚ましモードの実行中において、その実行中の特定制御信号とは異なる特定制御信号が入力されると、それを検知し、さらにその特定制御信号に対応する目覚ましモードに、動作モードを移行する。
【０１３９】
図１０に示されるように、時刻Ｔ１に標準目覚ましモード（ａ）の動作が開始された後、時刻Ｔ２に、特定制御信号である調光増大信号が入力され、その後の時刻Ｔ６に、特定制御信号である全点灯信号が入力される場合を想定する。
【０１４０】
時刻Ｔ２に調光増大信号が入力されると、動作モードが第３の目覚ましモード（ｃ）に移行される。第３の目覚ましモードでは、標準目覚ましモードにおける照度の増加率よりも、照度の増加率が高くなるように、制御が行われる。そして、時刻Ｔ６に全点灯信号が入力されると、動作モードが第２の目覚ましモード（ｂ）に移行される。第２の目覚ましモードでは、第３の目覚ましモードにおける照度の増加率よりも、照度の増加率が高くなるように、制御が行われる。第２の目覚ましモードは、他の特定制御信号の入力がなければ、全点灯信号に応じて、照度が全点灯の照度Ｌｍに到達するまで継続して行われる。
【０１４１】
このように、第５の実施の形態では、標準目覚ましモードから特定制御信号に対応する目覚まし動作モードに移行した後でも、実行中の特定制御信号とは異なる特定制御信号が入力されると、それに応じて動作モードを移行する。したがって、いったん目覚ましモードに移行した後でも、就寝しているユーザーの希望の変化に応じて、好ましい目覚ましモードを容易に選択できる。
【０１４２】
なお、特定制御信号や制御信号などは、上記の例に限定されず、例えば他の特定制御信号が入力され、それに応じて、その特定制御信号に対応する目覚ましモードが実行されるようにすればよい。
【０１４３】
［第６の実施の形態］
【０１４４】
第６の実施の形態における照明装置の基本的な構成は、第１の実施の形態におけるそれと同じであるため、ここでの説明を繰り返さない。第６の実施の形態においては、目覚ましモードで動作中であるときに制御信号が入力された場合の制御部の動作が第１の実施の形態と異なる。
【０１４５】
図１１は、本発明の第６の実施の形態における目覚ましモードを説明するグラフである。
【０１４６】
第６の実施の形態では、複数の目覚ましモードのいずれかが実行されている場合において、特定制御信号以外の制御信号すなわち予め設定された制御信号群に含まれない制御信号が入力されたとき、制御部により、実行中の目覚ましモードの動作を停止させる制御が行われる。そして、制御部により、そのとき入力された制御信号に応じた制御が行われる。
【０１４７】
図１１に示されるように、例えば、時刻Ｔ１において、標準目覚ましモード（ａ１）が開始された後、時刻Ｔ２に特定制御信号である調光増大信号が入力された場合を想定する。このとき、時刻Ｔ２までは標準目覚ましモード（ａ１）に基づく動作が行われ、時刻Ｔ２に、標準目覚ましモードよりも照度の増加率が大きい第３の目覚ましモード（ｃ）に動作モードが移行される。ここで、第３の目覚ましモード（ｃ）の実行中である時刻Ｔ７に、例えば目覚ましタイマー信号（制御信号群に含まれない制御信号の一例）が入力されると、制御部は、実行中の第３の目覚ましモード（ｃ）の動作を停止させる。本実施の形態においては、目覚ましモードの動作が停止されると、照明装置１は、目覚ましモードが開始される前と同様の状態すなわち消灯状態になる。
【０１４８】
上記のように目覚ましモードの動作が停止されると、制御部により、そのとき入力された目覚ましタイマー信号に応じた制御が行われる。第６の実施の形態において、時刻Ｔ７に目覚ましタイマー信号が入力されると、上記のようにいったん消灯状態とされた後、標準目覚ましモードに再度動作モードが移行される。時刻Ｔ７に開始された標準目覚ましモード（ａ２）では、時刻Ｔ７から、期間Ａ１と同じ期間Ａ２後の時刻Ｔ２０まで、照度がＬ１からＬ１１に到達するように、光源の光出力が制御される。
【０１４９】
なお、このような動作は、目覚ましタイマー信号が入力された場合の動作の一例であって、同じように目覚ましタイマー信号が入力された場合であっても、例えば標準目覚ましモードが再度開始されないようにするなど、他の動作を行うように構成されていてもよい。また、特定制御信号以外の制御信号は、目覚ましタイマー信号に限定されず、それ以外の信号が入力されたときでも、その信号に対応した制御動作を行うようにすればよい。
【０１５０】
例えば、特定制御信号以外の制御信号の例としては、上記のような目覚ましタイマー信号のほか、保安灯調光信号（保安灯調光増大信号や保安灯調光低減信号）や、ＯＮ−ＯＦＦタイマー信号、所定時間ＯＦＦタイマー信号、防犯タイマー信号などが挙げられる。すなわち、目覚ましタイマー信号が入力されたときには、いったん消灯され、再度、標準目覚ましモードが実行される。他方、保安灯調光信号が入力された場合には、実行中の目覚ましモードは解除され、例えばＬＥＤモジュール１４は消灯される。そして、その保安灯調光信号に基づいて、保安灯部１５の調光制御などが実行される。ＯＮ−ＯＦＦタイマー信号が入力された場合には、実行中の目覚ましモードが解除された後、指定した時間に点灯又は消灯するようにタイマーがセットされる。所定時間ＯＦＦタイマー信号が入力された場合には、実行中の目覚ましモードが解除された後、所定時間（例えば３０分間又は６０分間）後に消灯するように、タイマーがセットされる。防犯タイマー信号が入力された場合には、実行中の目覚ましモードが解除された後、防犯機能が開始される。防犯機能では、例えば、ユーザーの操作に伴い照明装置１が動作しているように見えるように、所定の時刻の到来に伴って点灯又は消灯が行われる。
【０１５１】
また、標準目覚ましモードの実行中において、特定制御信号以外の制御信号が入力された場合にも、上述と同様の動作が行われればよい。
【０１５２】
このように、第６の実施の形態によれば、目覚ましモードの実行中においても、特定制御信号以外の制御信号が送信されたときには、実行中の目覚ましモードを解除し、その制御信号に対応する、ユーザーが希望する種々の動作を実行させることができる。
【０１５３】
［第７の実施の形態］
【０１５４】
第７の実施の形態における照明装置の基本的な構成は、第１の実施の形態におけるそれと同じであるため、ここでの説明を繰り返さない。第７の実施の形態においては、標準目覚ましモードで動作中であるときに特定制御信号が入力された場合の制御部の動作が第１の実施の形態と異なる。
【０１５５】
第７の実施の形態において、制御部は、標準目覚ましモードで動作中に、照度が標準目覚ましモードで到達することが予定されている所定の照度（第２の照度）から、それより低い所定の第３の照度に到達したとき、報知音発信部１６から報知音（アラーム音）を出力（発信）させる（報知音の出力動作）。そして、制御部は、標準目覚ましモードで動作中に、照度が上記第３の照度に到達するより前に、特定制御信号が入力されたとき、その後報知音発信部１６からの報知音の出力動作を継続するか否かを選択する。報知音の出力動作を継続するか否かの選択は、そのとき入力された特定制御信号の種類に応じて行われる。なお、ここで報知音の出力動作というのは、照度が所定の照度に到達したときに報知音を出力するように待機する動作を含むものである。
【０１５６】
図１２は、本発明の第７の実施の形態における目覚ましモードを説明するグラフである。
【０１５７】
図１２において、上段は照度と時刻との関係を示すグラフであり、その下方には、報知音発信部１６の動作を示す３通りのグラフが示されている。図１２に示されるように、第１の実施の形態と同様に、時刻Ｔ１に標準目覚ましモード（ａ）が開始された場合を想定する。ここで、標準目覚ましモードでは、照度がＬ１からＬ１１（第２の照度の一例、所定の照度の一例）まで変更される。
【０１５８】
このとき、例えば制御信号が入力されず、動作モードの移行が行われないまま標準目覚ましモードが継続して行われると、図１２の上から２段目のグラフで示されるように、照度がＬ１１より低いＬ１０（第３の照度の一例）に到達した時刻Ｔ１３から、報知音が出力される。報知音の出力は、例えば、照度がＬ１１に到達して標準目覚ましモードが終了した後で消灯信号が入力された時刻Ｔ１６になって、停止される。このとき、報知音が出力される期間は、時刻Ｔ１３から時刻Ｔ１６までの期間Ｂ１となる。報知音の出力が停止されてから消灯信号が再度入力されると、消灯される。なお、消灯信号が入力されない場合において、報知音の出力が開始されてから所定期間が経過すると、報知音が停止されるようにしてもよい。この場合、報知音の出力が開始されてから所定期間内に消灯信号が入力されるか、所定期間が経過したとき、報知音が停止される。
【０１５９】
このように、照明装置１では、所定の照度Ｌ１０になれば、報知音が発信されるため、寝過ごすことなく、確実に目覚めることができる。
【０１６０】
ここで、時刻Ｔ２に、特定制御信号である、全点灯信号、調光増大信号、調光低減信号、又は消灯信号が入力された場合を想定する。第７の実施の形態において、制御部は、調光増大信号又は調光低減信号が入力されたとき、すなわち第３の目覚ましモード（ｃ）又は第４の目覚ましモード（ｄ）が実行中であるとき、報知音の出力動作を継続させる。他方、全点灯信号又は消灯信号が入力されたとき、すなわち第２の目覚ましモード（ｂ）又は第５の目覚ましモード（ｅ）が実行中であるとき、制御部は、報知音の出力動作を停止させる。
【０１６１】
時刻Ｔ２に、調光増大信号又は調光低減信号が入力されたとき、動作モードは、それぞれ、第３の目覚ましモード（ｃ）、第４の目覚ましモード（ｄ）に切り替えられる。このとき、報知音の出力動作は継続される。すなわち、例えば、第４の目覚ましモードが実行されている場合において、時刻Ｔ１４に照度がＬ１０に達すると、図１２の上から３段目のグラフで示されるように、報知音発信部１６から報知音が発信される。このとき、報知音の出力は、例えば、照度がＬ１１に到達して第４の目覚ましモードが終了した後の時刻Ｔ１８に消灯信号が入力されると、それに伴い停止される。すなわち、報知音が出力される期間は、時刻Ｔ１４から時刻Ｔ１８までの期間Ｂ２となる。消灯信号が再度入力されると、消灯される。
【０１６２】
時刻Ｔ２に、全点灯信号又は消灯信号が入力されたとき、動作モードは、それぞれ、第２の目覚ましモード（ｂ）、第５の目覚ましモード（ｅ）に切り替えられる。このとき、報知音の出力動作は、停止（キャンセル）される。すなわち、図１２の上から４段目のグラフで示されるように、第２の目覚ましモードが実行されている場合において、照度がＬ１０に到達しても、報知音発信部１６から報知音は発信されない。また、第５の目覚ましモードが実行されると、照度は単調に減少するので、そもそも第５の目覚ましモードに動作モードが移行してから照度がＬ１０に達することはない。したがって、報知音発信部１６から報知音は発信されない。
【０１６３】
このように、第７の実施の形態では、照度を高くすることでユーザーの覚醒を促すことができ、それに加えて報知音を出力することで、確実にユーザーを覚醒させることができる。標準目覚ましモードから第３の目覚ましモード又は第４の目覚ましモードに移行された後にも報知音の出力動作が継続され、照度がＬ１０に到達したときに報知音が出力される。したがって、ユーザーは、寝過ごすことなく確実に目覚めることができる。報知音が出力されているとき、消灯信号を送信することで報知音の出力を止めることができるので、容易な操作により報知音を出力する機能を利用することができる。
【０１６４】
また、照度が所定の照度Ｌ１０に到達する前に標準目覚ましモードから第２の目覚ましモード又は第５の目覚ましモードに移行されると、報知音の出力動作が停止され、報知音はその後発信されない。したがって、ユーザーは、目覚めた後に不要な報知音を鳴らさないようにすることができる。
【０１６５】
なお、報知音の出力動作が継続される特定制御信号の種類は、上記に限定されるものではなく、適宜変更することができる。
【０１６６】
［実施の形態における効果］
【０１６７】
以上のように構成された照明装置では、標準目覚ましモードで動作中であるとき、所定の制御信号群に含まれる特定制御信号が送られると、その特定制御信号に応じた目覚ましモードに動作モードが移行される。したがって、目覚ましモード中において、ユーザーは、不快感やストレスが少なくなるように、容易な操作で、多様な照度調節などを行うことができる。例えば、就寝していたユーザーが目覚ましモードの実行中などに目を覚ましたとき、状況に応じて、ユーザーの希望に添うような態様で照度変化などが行われるような目覚ましモードに、自由に移行させることができる。照明装置は、照度が略常時変化する様々な態様の目覚ましモードを実行させることができ、利便性が高いものとなる。
【０１６８】
［その他］
【０１６９】
上記の各実施の形態で行われる処理は、それぞれ適宜組み合わされて実行されてもよい。
【０１７０】
各目覚ましモードは、その実行時において照度が直線的に変化するように制御を行うものに限定されない。例えば、照度が曲線的に変化したり、段階的に変化したり（アナログ値ではなく、デジタル値で所定のステップで上昇するなど）するように制御を行うものであってもよい。例えば、標準目覚ましモードの実行時に全点灯信号が入力されたとき、照度を、対数特性を示すような調光カーブで全点灯の照度になるように制御を行うものであってもよい。
【０１７１】
照明装置は、ＬＥＤモジュールにより照明するものに限定されるものではなく、例えば蛍光灯など、他種の光源を用いたものであってもよい。
【０１７２】
照明装置は、上記のような天井面などに設置されるものに限られない。例えば、家具などに設けられ、目覚まし機能を発揮するように、就寝しているユーザーを照明可能なものであってもよい。また、例えば、照明装置は、照明スタンドのように、床面や机上などに据え置かれて用いられるようなものであってもよい。
【０１７３】
送信機は、ワイヤレス型のものに限られず、通信ケーブルを介して照明部に制御信号を送信するような、ワイヤード型のものであってもよい。また、送信機は、例えば、時計やラジオなど、他の機能を有する装置などに内蔵されているものであってもよい。送信機に設けられているボタンは、上記のようなものに限られず、他の機能に関する指示を行うためのボタンなど、様々なものが含まれていてもよい。また、調光指示部に含まれるボタン群も、上記のような４つに限定されない。
【０１７４】
照明装置は、照明部と送信機とに分かれておらず、ユーザーに操作される操作ボタンが照明部と一体に設けられており、操作ボタンの操作に応じて一体の照明装置のうちで制御信号が出力及び受信されるものであってもよい。
【０１７５】
上述の実施の形態における処理は、ソフトウェアによって行っても、ハードウェア回路を用いて行ってもよい。
【０１７６】
上述の実施の形態における処理を実行するプログラムを提供することもできるし、そのプログラムをＣＤ−ＲＯＭ、フレキシブルディスク、ハードディスク、ＲＯＭ、ＲＡＭ、メモリカードなどの記録媒体に記録してユーザーに提供することにしてもよい。プログラムはインターネットなどの通信回線を介して、装置にダウンロードするようにしてもよい。上記のフローチャートおよび文章で説明された処理は、そのプログラムに従ってＣＰＵなどにより実行される。
【０１７７】
上記実施の形態は、すべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【符号の説明】
【０１７８】
１  照明装置
１０  照明部
１１  リモコン受信部（検知手段の一例）
１２  動作制御部（制御部の一例）
１２ａ  制御プログラム
１３  ＬＥＤ駆動回路
１４  ＬＥＤモジュール（光源の一例）
１５  保安灯部
１６  報知音発信部（音出力手段の一例）
１７  本体カバー
２０  送信機
Ｌ０  消灯時の照度（所定の照度の一例）
Ｌ１  第１の照度
Ｌ１１  第２の照度（所定の照度の一例）
Ｌｍ  全点灯の照度（所定の照度の一例）
【図１】
0005738088.tif 000002
【図２】
0005738088.tif 000003
【図３】
0005738088.tif 000004
【図４】
0005738088.tif 000005
【図５】
0005738088.tif 000006
【図６】
0005738088.tif 000007
【図７】
0005738088.tif 000008
【図８】
0005738088.tif 000009
【図９】
0005738088.tif 000010
【図１０】
0005738088.tif 000011
【図１１】
0005738088.tif 000012
【図１２】
0005738088.tif 000013